(57)【要約】  本発明は、周波数除去を有する携帯型の小型アンテナに関する。携帯型の小型アンテナは、第１の周波数帯で動作し、第１のアーム（１）と差動給電される少なくとも１つの第２の導電アーム（２０）とを備える第１のダイポールタイプの放射素子から形成される。コールドアームと呼ばれる第１のアームは、電子カードの少なくとも１つのカバーを形成し、ホットアームと呼ばれる第２のアームは、給電のレベルでコールドアームにつながっている。本発明によると、ホットアーム（２０）は、ＧＳＭ帯のような第２の周波数帯で共振する少なくとも１つのスロット（４０）を備える。【選択図】図３
2009537085.tif 000002
【特許請求の範囲】
【請求項１】
第１の周波数帯で動作し、第１の導電アーム（１）と差動給電される少なくとも１つの第２の導電アーム（２０）とを備える第１のダイポールタイプの放射素子から形成され、コールドアームと呼ばれる前記第１のアームは、電子カードの少なくとも１つのカバーを形成し、ホットアームと呼ばれる前記第２のアームは、給電のレベルで前記コールドアームにつながっている携帯型の小型アンテナにおいて、
前記ホットアーム（２０）は、該ホットアームの導電部内でエッチングされ、第２の周波数帯で共振する寸法の、フィルタを形成する少なくとも１つのスロット（４０、４１、４２）を備えることを特徴とするアンテナ。
【請求項２】
前記ホットアームは、絶縁基板上に実現されたＵ型導電素子（２１）によって構成されることを特徴とする請求項１に記載のアンテナ。
【請求項３】
前記スロット（４０）は、Ｕ型のスロットであることを特徴とする請求項１又は２に記載のアンテナ。
【請求項４】
前記スロットの全長が、λg／２と等しく、λgはスロット内のガイド波長で、λg＝λ０／√εｒｅｆｆであり、εｒｅｆｆはスロットからみた材料の等価誘電率であることを特徴とする請求項３に記載のアンテナ。
【請求項５】
前記ホットアームは、該ホットアームの前記導電部内でエッチングされた、異なる長さのいくつかのスロット（４０、４１、４２）を備えることを特徴とする請求項１から４のいずれか１項に記載のアンテナ。
【請求項６】
前記スロットの先端は、異なる長さの少なくとも２つの平行なスロット素子（４０Ａ、４０Ｂ）によって構成されることを特徴とする請求項１から５のいずれか１項に記載のアンテナ。
【請求項７】
前記第１の周波数帯は、ＵＨＦ帯（４７０ＭＨｚから８６２ＭＨｚ）であり、前記第２の周波数帯は、ＧＳＭ帯（８８０ＭＨｚから９１５ＭＨｚ）であることを特徴とする請求項１から６のいずれか１項に記載のアンテナ。
【請求項８】
第３の周波数帯で動作する第２の放射素子（５０）が、前記ホットアーム上で、前記Ｕ型導電素子の分岐間に実現されることを特徴とする請求項２から７のいずれか１項に記載のアンテナ。
【請求項９】
前記第２の放射素子は、ベンドに折り返された導電素子によって構成されることを特徴とする請求項８に記載のアンテナ。
【請求項１０】
前記導電素子は、ＶＨＦ帯で動作する寸法であることを特徴とする請求項７又は８に記載のアンテナ。
【発明の詳細な説明】
【技術分野】
【０００１】
本発明は、携帯型小型アンテナに関し、より詳細には、テレビ信号を受信するように設計されたアンテナ、特に、電磁信号を受信するのにアンテナを必要とする携帯型コンピュータ、ＰＤＡ（個人情報端末）又はその他の同様の装置のような携帯型電子装置上で、デジタル信号を受信するアンテナに関する。
【背景技術】
【０００２】
現在のアクセサリー市場において、ラップトップコンピュータ上で直接、地上波デジタルテレビ（ＴＮＴ）用の信号を受信することが可能な装置の機器がある。ラップトップコンピュータ上での地上波デジタルテレビ信号の受信は、そのコンピュータのデジタル画像、とくにＭＰＥＧ２又はＭＰＥＧ４フォーマットのデジタル画像のフローをデコードするための計算能力から恩恵を受けることができる。この装置は、内部又は外部のＶＨＦ−ＵＨＦアンテナに接続するための１つのＲＦ（無線周波数）無線インタフェースと、コンピュータに接続するためのＵＳＢインタフェースという２つのインタフェースを備えたユニットの形でしばしば市場に出回っている。
【０００３】
一般的に現在の市場で出回っている装置は、ＵＳＢコネクタを収容しているユニット上に取り付けられたホイップ型又はループ型アンテナのような別々のアンテナで構成されている。
【先行技術文献】
【特許文献】
【０００４】
【特許文献１】仏国特許出願第０５  ５１００９号明細書
【特許文献２】仏国特許出願第０５  ５２４０１号明細書
【発明の概要】
【発明が解決しようとする課題】
【０００５】
２００５年４月２０日に出願された仏国特許出願第０５  ５１００９号明細書において、出願人は、ダイポールアンテナによって構成される、全ＵＨＦ帯域をカバーする小型の広帯域アンテナを提案している。このアンテナは、特にＵＳＢコネクタを用いて携帯型装置に接続することが可能な電子カードと関連している。
【０００６】
より詳細には、仏国特許出願第０５  ５１００９号明細書記載のアンテナは、差動給電される第１及び第２の導電アームからなり、アームの１つ、第１のアームは、電子カードのための少なくとも１つのカバーを形成する。好ましくは、第１のアームは、ボックスの形をとり、そのボックスの中に、ダイポールアンテナで受信される信号の処理回路を構成する電子カードが挿入される。これらの回路は、ラップトップコンピュータか又はその他の同様の装置への接続を可能にするＵＳＢコネクタに接続されることが多い。特にダイバーシチを得ることを可能にするこのアンテナの改良点は、本出願人の名で２００５年８月１日に出願された仏国特許出願第０５  ５２４０１号明細書で提案されている。
【０００７】
さらに、本発明と同日に出願された仏国特許出願「地上波デジタルテレビ用の携帯型小型アンテナ」において、絶縁基板上に実現されたＵ型導電素子からなり、且つＵ型素子の分岐間で、ＶＨＦ帯で動作する第２の放射素子を備えるホットアームの新しい実施例が記述されている。
【０００８】
前述の特許出願で提案されている解決法は、地上波デジタルテレビ（ＴＮＴ）の携帯型受信機専用であり、携帯電話のＧＳＭシステムとの干渉にあってしまう。
【０００９】
この問題の発端にはさまざまな理由がある。
【００１０】
１、ＧＳＭエミッション帯（８８０ＭＨｚ−９１５ＭＨｚ）は、ＵＨＦ帯の上限（８６２ＭＨｚ）に近い。ＤＶＢ−Ｈシステムは、このシステム用にＵＨＦ放送帯域を６９８ＭＨｚの高周波数に制限するよう決められているが、これと比較して、ＤＶＢ−ＴにおけるＴＮＴ放送用では、すべてのＵＨＦチャネル、したがって最も高いチャネルも使用されうる。
【００１１】
２、携帯型ＴＮＴ受信機の感度（約−８０ｄＢｍ）に関連して、携帯電話により放出されるレベルに大きな違いがある（原則として、２ワット＝３３ｄＢｍのＥＲＩＰ（等価放射等方電力）が認められている）。
【００１２】
３、さらに、携帯している状況で、特に信号が建物内を通過するために、マルチプルパスにつながるフェージングやさらなる減衰にあうような建物内すなわち“内部”で受信されるのを確実なものとするために、ＬＮＡ：低雑音増幅器をＴＮＴ受信機の入力部に加えることによって、受信機の感度閾値の改善が求められている。この増幅器があると、受信機を飽和させる危険性が増大する。
【００１３】
４、携帯電話が大量に使用されると、それらがＧＳＭエミッタの近くに位置するという確率が増大する。加えて、ＴＮＴの携帯型受信機用の準全指向性（ｑｕａｓｉ−ｏｍｎｉｄｉｒｅｃｔｉｏｎａｌ）パターンアンテナの使用により、ＧＳＭ信号をとらえる機会が増大してしまう。
【課題を解決するための手段】
【００１４】
ＧＳＭシステムとの干渉の問題を減らす第１の解決法は、受信機の入力部にフィルタを置くことであり、このおかげで、ＧＳＭ帯が除去される。しかし、このローパスフィルタ又はノッチフィルタは、以下の理由のために実現が難しい。
【００１５】
ｉ）有用なＵＨＦ帯の上限から除去されるバンドの極度の近接、これは、このフィルタに対して非常に高い除去ファクタを課す（非常に高いオーダのフィルタ、すなわち１１ポール）。
【００１６】
ｉｉ）このフィルタが、ＵＳＢキー内に含まれるようにするために、小型である必要性がある。事実、必要とする除去が高ければ高いほど、フィルタの大きさは大きくなる。
【００１７】
さらに、ＧＳＭの高除去をするフィルタの使用は、ＵＨＦ帯の上限の周波数もまた減衰をするということを意味している。
【００１８】
したがって本発明は、大きさの制約とＵＨＦ帯及びＶＨＦ帯の受信という制約に従い、且つこれらの帯域に近いＧＳＭ帯のようなエミッション周波数帯の除去を可能にするアンテナの解決を提供する。
【００１９】
したがって、本発明は、携帯型小型アンテナであって、第１の周波数帯で動作し、第１の導電アームと差動給電される少なくとも１つの第２の導電アームとを備える第１のダイポールタイプの放射素子から形成され、コールドアームと呼ばれる第１のアームは、電子カードの少なくとも１つのカバーを形成し、ホットアームと呼ばれる第２のアームは、給電のレベルでコールドアームにつながっている。本発明の特徴によると、ホットアームは、該ホットアームの導電部内でエッチングされ、第２の周波数帯で共振する寸法の、フィルタを形成する少なくとも１つのスロットを備える。上記で定義されたスロットを使用することで、共振周波数での電流分布を修正してこの特定の周波数での除去を得ることが可能になる。これは、アンテナの初期の放射を取り消し、したがって除去を可能にする。
【００２０】
好ましい実施形態によると、スロットは、ホットアームの導電部でエッチングされるＵ型のスロットであり、この導電部は、本発明と同日に出願された仏国特許出願「地上波デジタルテレビ用の携帯型小型アンテナ」に記載されているように、絶縁基板上に実現されるＵ型素子によって構成可能である。
【００２１】
特定の周波数での共振を得るために、スロットの全長は、λg／２と等しく、ここで、λgは、スロット内のガイド波長で、λg＝λ０／√Σεｒｅｆｆであり、εｒｅｆｆはスロットからみた材料の等価誘電率である。
【００２２】
特定の実施形態によると、第１の周波数帯はＵＨＦ帯（４７０ＭＨｚから８６２ＭＨｚ）であり、第２の周波数帯はＧＳＭ帯（８８０ＭＨｚから９１５ＭＨｚ）である。
【００２３】
第２の周波数帯での除去が拡大される及び／又は改善されることを可能とする本発明の別の特徴によると、ホットアームは、それぞれが異なる周波数で共振する異なる長さのいくつかのスロットを備え、それらスロットは、ホットアームの導電部内でエッチングされ、それにより第２の周波数帯の除去の拡大が可能になる。別の解決法によると、スロットの先端が、異なる長さの２つのスロットで終了するように修正可能である。この場合スロットは２つの近接する周波数で共振し、それにより除去帯の拡大が可能になる。
【００２４】
本発明のさらに別の特徴によると、第２のアームが、中にスロットがエッチングされる導電Ｕ型素子によって実現されるとき、ベンド（ｂｅｎｄｓ）に折り返される導電素子からなる第２の放射素子が、本発明と同日に出願された仏国特許出願に記載されているように、Ｕ型導電素子の分岐間で実現可能である。この場合、第２の放射素子は、ＶＨＦ帯、より詳細にはＶＨＦ−ＩＩＩ帯（１７４−２２５ＭＨｚから２３０ＭＨｚ）のような第３の周波数帯で動作する寸法である。
【００２５】
本発明の別の特徴及び利点は、異なる実施形態の記述を読むと明らかになり、添付の図面を参照しながら実現される。
【図面の簡単な説明】
【００２６】
【図１】本出願人の名で出願された仏国特許出願第０５  ５１００９号明細書に記載のアンテナの概略斜視図である。
【図２】図１のアンテナの第１の実施形態の概略斜視図である。
【図３】本発明によるアンテナの第１の実施形態の概略斜視図である。
【図４】周波数帯４００ＭＨｚから１０００ＭＨｚでシミュレートされる図３のアンテナの実数部及び虚数部である。
【図５】アンテナ出力部でのインピーダンス整合回路の概略図である。
【図６】図３のアンテナ効率の曲線グラフである。
【図７】図３によるアンテナをシミュレートすることによって得られる利得及び指向性の曲線グラフである。
【図８】本発明によるスロットによって提供されるアンテナ効率の変化を示した図である。
【図９】ＧＳＭを除去し、ＵＨＦ帯及びＶＨＦ帯で動作する本発明によるアンテナの第２の実施形態を表した図である。
【図１０】図９のアンテナの放射効率を示した図である。
【図１１】図９のアンテナで用いられるインピーダンス整合回路の概略図である。
【図１２】図１０のアンテナ効率の曲線グラフである。
【図１３】図１０のアンテナの利得及び指向性の曲線グラフである。
【図１４】図１０によるアンテナをシミュレートすることによって得られるＵＨＦ帯及びＶＨＦ帯それぞれにおける放射パターンを示した図である。
【図１５】本発明によるアンテナの実施形態の変形例を示した図である。
【図１６】本発明によるアンテナの実施形態の変形例を示した図である。
【図１７】本発明によるアンテナの実施形態の変形例を示した図である。
【図１８】本発明によるアンテナの実施形態の変形例を示した図である。
【図１９】本発明によるアンテナの実施形態の変形例を示した図である。
【図２０】本発明によるアンテナとともに用いられる電子カードの概略図である。
【発明を実施するための形態】
【００２７】
簡単に説明するために、同一要素は図面と同一の参照番号で示されている。
【００２８】
初めに、図１を参照しながら、本出願人による仏国特許出願第０５  ５１００９号明細書に記載されている、ラップトップコンピュータ又はそれと同様の装置上で地上波デジタルテレビを受信するために用いることのできるダイポールアンテナの一実施形態を説明する。
【００２９】
図１に示されているように、このダイポールアンテナは、コールドアームとして知られる第１の導電アーム１と、ホットアームとして知られる第２の導電アーム２とを備え、両アームは、アームの一方の先端に位置する関節域３によって互いに接続される。
【００３０】
より詳細には、アーム１は、注目点として、後述される実施形態である電子カードを受けることのできる例えばボックス形を有する。エネルギーが徐々に放射され、より広い周波数帯にわたるインピーダンス整合が向上するように、そのボックスは、例えば矩形の形状の部分１ａを有し、徐々に広がっているベンド１ｂにまで延びる。アーム１の長さＬ１は、例えばλ１／４と等しく、ここでλ１は中心動作周波数における波長である。したがって、ＵＨＦ帯（周波数帯が４７０ＭＨｚから８６２ＭＨｚ）における動作の場合、アーム１の長さＬ１は、１１２ｍｍに近い。
【００３１】
図１に示されるように、アンテナは、ピン３を中心に回転するように取り付けられた第２のアーム２を備える。ピン３は、信号処理回路、つまりアーム１で形成されるボックスに挿入される電子カード（図示なし）に対するアンテナの接続点でもある。アンテナの電気接続は、金属ストランド、たとえば同軸ケーブル又は同様のケーブルによって行われ、一方で回転ピンは、電磁波に対し比較的透過的である材料からできている。
【００３２】
図１に示されているように、ピン３の周りで関節回転可能なアーム２は、例えばλ１／４に等しい長さＬ１を有する。アーム２はまた、湾曲した形状を有し、閉位置でアーム１に対して完全に折り返せる平らな矩形部がそこから続く。アーム２は、アーム１に対して３で回転するように取り付けられており、このことにより、アーム２の方向を修正してテレビ信号の受信を最適化することが可能になる。
【００３３】
図２を参照しながら、ダイポールアンテナの他の実施形態を説明する。この実施形態は、本出願と同日に出願された特許出願「地上波デジタルテレビ用の携帯型小型アンテナ」の主題である。
【００３４】
図２で示されているように、アンテナは、コールドアームと呼ばれるボックス型の第１のアーム１と、関節３によってアーム１と接続されたホットアームと呼ばれる第２のアームとからなる。この場合、ホットアームは、導電材料のＵ型素子２１によって構成され、絶縁基板２０上に実現されている。非限定的な実施形態によると、その基板は、Ｕ型素子を実現するために銅の層のエッチングで覆われた「ＫＡＰＴＯＮ」として知られる材料からなる。
【００３５】
上述のように、コールドアーム及びホットアームそれぞれは、λ１／４に等しい長さＬ１を有する。ここでλ１は、中心動作周波数の波長を表している。したがって、Ｕ２１の各分岐は、例えばλ１／４に等しい長さを有する。
【００３６】
図２で明らかなように、Ｕ型素子は、金属ストランドのような電気的接続素子によって、関節３のレベルで電子カード（図示なし）へつながり、その電子カードはコールドアーム１によって形成されるボックスに挿入される。したがって図２のアンテナはＵＨＦ帯で動作するよう特定の寸法を有する。
【００３７】
図３を参照して、本発明による小型アンテナの第１の実施形態を説明する。したがってこのアンテナは、第１のアーム１すなわちコールドアームを備え、それは、図１及び図２のコールドアームのように、導電材料中に電子カードを受け入れることができるボックスの形状を有する。コールドアーム１は、ホットアームと呼ばれる第２のアームにまで延びており、そのホットアームは、本実施形態において、図２のホットアーム２０と同型である。より特定の形態では、ホットアーム２０は、絶縁基板上に実現されるＵ型導電素子２１からなる。例として、Ｕ型導電素子２１は、“ＫＡＰＴＯＮ”基板を覆う金属層内にエッチングされることができる。このホットアーム２０は、電気的接続がされているレベルでピン３によってコールドアーム１に回転可能に接続されている。地上波デジタルテレビ（ＴＮＴ）信号を受信するようＵＨＦ帯で動作するために、アーム１及び２０は、図１及び図２のように特定の寸法である。本発明の実施形態によると、スロット４０が、ホットアーム２０のＵ型導電素子２１上に実現されている。このスロットは、与えられた周波数、つまり本発明の１つの実施形態におけるＧＳＭ周波数近傍の狭帯域で共振するように特定の寸法になっている。より詳細には、スロット４０は、導電素子２１のＵ型に続くＵ型スロットである。スロットの全電気長はλg／２にほぼ等しく、ここで、スロット内のガイド波長λgは、λg＝λ０／√εｒｅｆｆで、εｒｅｆｆはスロットからみた材料の等価誘電率である。さらに、スロットの幅によって除去レベルが適応される。
【００３８】
図３のアンテナが、周波数帯（４００ＭＨｚから１０００ＭＨｚ）で、モーメント法に基づく電磁ソフトウェアＩＥ３Ｄ上でシミュレートされた。シミュレーションの結果は図４に示されており、アンテナの実数部及び虚数部が、９００ＭＨｚの共振を示している。
【００３９】
アンテナと電子カードの低雑音増幅器との間で、図５で示されているようなインピーダンス整合回路を用いて、さらなるシミュレーションが行われた。この回路は、アンテナ出力部Ａとポイントｐとの間に直列に設置された１．２ｐＦのキャパシタＣ１と、ポイントｐと接地との間に設置された４２ｎＨの自己インピーダンスＬ１と、ポイントｐと電子カードのＬＮＡの接続ポイントｐ１との間に直列に設置された１．６ｐＦの第２のキャパシタＣ２と、１ｐＦのキャパシタＣ３と１４ｎＨの自己インピーダンスＬ２で形成されポイントｐ１と接地との間に設置された並列のＬＣ回路とを備える。
【００４０】
図３のアンテナ及び図５のインピーダンス整合回路で実現されたシミュレーションにより、図６及び図７で示されているような、効率、利得、及び指向性曲線が得られる。図６の曲線Ｄ１から、インピーダンス整合セルを備えたＵＨＦ帯におけるアンテナの全効率が、６５％よりも大きく、９００ＭＨｚ周辺の効率は１％から１０％の間であるので、ＧＳＭ帯で非常に良好な受信であることがわかる。曲線Ｄ２は、アンテナの放射効率からくる９００ＭＨｚ周辺での除去を示している。さらに、図７の曲線Ｄ３は、ＵＨＦ帯周辺のアンテナの利得０ｄＢｉ、及び、ＧＳＭ帯、すなわち約９００ＭＨｚ周辺における１０ｄＢから２０ｄＢの間での除去を示している。
【００４１】
実際に、実現されたシミュレーションは、除去帯を９００ＭＨｚ周辺に再度中心を合わせることが必要であることを示している。実際、装置を実現するのに用いる技術、特に第２のアームを実現するのに用いる材料の誘電率を明らかにすることは必要である。図８の結果が示すものは、厚さ１ｍｍのプラスチック材料で比誘電率εｒが３に等しい場合、Ｕ型スロットにより供給されるアンテナの、比誘電率εｒ＝１の材料上にエッチングされるスロットに関する放射効率の低周波数への変化であり、且つ、１ｍｍ幅で全長は理論上の長さより短いスロット用の１．２相当の誘電率を考慮に入れることによって得られる再度の中心合わせである。
【００４２】
この現象は、以下の方法で説明される。
【００４３】
アンテナの長さは、設計が空気中でなされていれば、εｅｆｆに依存するので、スロットの長さはλ０／２である。スロットの周辺に加えられたプラスチックのために、εｅｆｆは１ではなく、たとえば２である（空気のεｒとプラスチックのεｒとの混合）。したがって、スロットの同じ物理的な長さに対して、スロットの長さは電気的に大きくなり、共振周波数は低くなる。この問題を正すために、正しい共振周波数にスロットの長さを調整すべく、スロットの長さを減らすことで十分である。
【００４４】
図９から１４を参照しながら、ＶＨＦ帯のような第３の周波数帯での動作も可能にする本発明の第２の実施形態を説明する。この実施形態は、本発明と同日に出願された仏国特許出願に記載されているように、ホットアームのＵ型導電素子の分岐間で、ベンドに折り返された導電素子からなる第２の放射素子を実現することを提案している。この導電素子は、ＶＨＦ周波数帯、より詳細にはＶＨＦ−ＩＩＩ周波数帯（１７４ＭＨｚ−２３０ＭＨｚ）で動作するように特定の寸法に合わせている。したがって、ベンドの中の導電素子の全電気的長さは、ｋ*λ２／２−Ｌ１と等しく、ここで、λ２は第３の周波数帯の中心周波数の波長、Ｌ１はコールドアームの長さ、ｋは第３の周波数帯の高調波をあらわす正の整数である。図９に示されている実施形態において、アンテナは、コールドアーム１（一部分しか示されていない）及びホットアーム２０を有し、２つのアームは、動作回路への接続のレベルで関節３によって実現されている。ホットアーム２０は、絶縁基板上で、Ｕ型導電素子２１を有し、図２の実施形態のように、そのなかに、Ｕ型スロット４０がエッチングされている。この実施形態では、折り曲げた導電素子５０が、Ｕ型導電素子２１の分岐間に実現されている。この場合、折り曲げた導電素子５０は、最短の長さを有するベンドの部分５０’が分岐２１に平行になるように形作られている、それは、ベンドの中及びＵ型コンダクタのエッジの中で循環する電流の直角方向が、結合を非常に減らすからである。これは、図９のアンテナの効率を示す図１０の曲線グラフによって示されるシミュレーションの結果によって確認される。
【００４５】
さらに、３つの周波数帯での結果を最適化するために、図１１で示されるインピーダンス整合回路がアンテナＡと低雑音増幅器ＬＮＡとの間に取り付けられる。
【００４６】
インピーダンス整合回路は、アンテナの出力点ｐ’と接地との間に取り付けられる２ｐＦのキャパシタＣ’１、点ｐ’と点ｐ’１との間に直列で取り付けられる３５ｎＨの自己インピーダンスＬ’１、点ｐ’１と接地との間に取り付けられる３５ｐＦの第２のキャパシタＣ’２、点ｐ’１とＬＮＡ増幅器への接続点ｐ’２との間に取り付けられる第２の自己インピーダンスＬ'２、及び、点ｐ’２と接地の間に取り付けられる第３の自己インピーダンスＬ'３を備える。
【００４７】
図１２において、曲線Ｄ’１は、図１１のインピーダンス整合回路でシミュレートされた図９のアンテナの効率を示している。したがって、９００ＭＨｚ（ＧＳＭ帯）周辺の良好な除去と共に、６５％より大きい効率が得られる。曲線Ｄ’２は、アンテナの放射効率からくる、９００ＭＨｚ周辺で得られる除去を表している。
【００４８】
図１３において、曲線Ｃ'３は、ＵＨＦ帯の０ｄＢの近傍のアンテナの利得、９００ＭＨｚ周辺のＧＳＭ帯の１０ｄＢから２０ｄＢの間の除去、及び、ＶＨＦ帯の−１０ｄＢｉのオーダの利得を示している。さらに、図１４は、図９のシミュレートされたアンテナのＶＨＦ帯およびＵＨＦ帯での放射パターンを示している。これらのパターンは、アンテナの放射の全指向性の性質を示している。
【００４９】
図１５から１７は、本発明によるアンテナの実施形態の変形例を示している。
【００５０】
図１５において、第２の放射素子５０’は、ベンド内の導電素子によって形成されており、そのベンド間の距離が修正されている。この場合、領域５０’の長さは削減され、この領域とＵ型導電素子２１の分岐との間での結合を制限できる。
【００５１】
図１６において、Ｕ型導電素子２１内に実現されているスロット４０’がエッチングされ、各分岐で見られるスロットの部分は、２つのスロット素子４０’Ａ及び４０’Ｂを並列で形成するように折り返されている。この解決法により、Ｕ型素子の分岐の上部で表面領域を増やすことが可能になる。これは、Ｕの分岐内での、スロットがより小型化された変形例である。
【００５２】
図１７は、本発明による、アンテナの別の実施形態の斜視図を、ホットアームの長手部分と一緒にそれぞれ示した図である。この場合、プラスチック基板２０に、２つのアンテナパターンが実現される、すなわち、Ｕ型導電素子２１と、第２の放射素子５０である。この実施形態によると、プラスチック材料の追加の厚み６０が、Ｕ型導電素子２１で実現されているスロット（図示なし）の上部に取り付けられている。アンテナのもう一方の部分、すなわちコールドアーム１及び関節領域は、図１及び２のそれと同一である。
【００５３】
図１８及び１９は、除去スロットの実施形態の変形例を示している。図１８において、異なる長さの３つのスロット４０、４１及び４２が、第２の放射素子５０を含むホットアーム２０のＵ型導電素子２１の中にエッチングされている。異なる電気的長さを有する３つのスロット４０、４１及び４２は、異なる周波数で共振する。したがって、ＧＳＭ帯の除去幅を広くすることが可能である。
【００５４】
図１９は、Ｕ型導電素子上に実現されているスロット４０の先端を示している。この場合、先端は、異なる長さの４０Ａおよび４０Ｂの２つの部分に分割されている。したがってスロットは、２つの周波数で共振し、それにより、除去帯の幅を拡大することが可能になる。
【００５５】
したがって、上記のさまざまな非制限的な実施形態により、ＵＳＢキーのような、全ＵＨＦ帯及び可能であればＶＨＦ−ＩＩＩ帯をカバーする、低コストで携帯可能な小型アンテナを得ることができ、一方で、携帯電話のＧＳＭシステムとの干渉に対して良好な抵抗を得ることを可能とする。
【００５６】
図２０を参照して、コールドアーム１で形成され、アンテナに接続されたボックスの中に挿入可能な、７０−８０ｍｍ×１５−２５ｍｍの寸法の電子カードの実施形態を説明する。この電子カード１００は、関節３のレベルでアンテナの同軸ケーブルが接続される低雑音増幅器１０１を有する。ＬＮＡ１０１は、ＶＨＦ帯及びＵＨＦ帯の両方を処理する一体型チューナ１０２と接続されている。チューナ１０２は、復調器１０３と接続されており、該復調器１０３の出力部はＵＳＢインタフェース１０４と接続され、それ自体はＵＳＢコネクタと接続されている。したがって、このシステムにより、ラップトップコンピュータか又はその他のディスプレイ素子のＵＳＢ入力部にアンテナを接続することが可能になり、このことによって、特に、地上波デジタルテレビを、コンピュータ、ＰＤＡ又はその他の携帯可能な装置上で受信することが可能になる。
【００５７】
上記で説明された実施形態は、特に長さ、幅、及びスペーシングの基準に単純に合わなければならないスロット及び／又はベンドの形及び配置に関して、当業者が修正できることは明らかである。さらに、ダイバーシチを得るために、上記の特徴を有する少なくとも２つのホットアームが、コールドアームの先端に接続される。
【符号の説明】
【００５８】
１    第１の導電アーム（コールドアーム）
１ａ  矩形の形状の部分
１Ｂ  ベンド
２    第２の導電アーム（ホットアーム）
３    関節
２０  絶縁基板
２１  Ｕ型導電素子
４０  スロット
４０Ａ  スロット素子
４０Ｂ  スロット素子
４０’Ａ  スロット素子
４０’Ｂ  スロット素子
５０  第２の放射素子
５０’  第２の放射素子
１００  電子カード
１０１  ＬＮＡ
１０２  チューナ
１０３  復調器
１０４  ＵＳＢインタフェース
１０５  ＵＳＢコネクタ
Ｌ１  アーム１の長さ
【図１】
2009537085.tif 000003
【図２】
2009537085.tif 000004
【図３】
2009537085.tif 000005
【図４】
2009537085.tif 000006
【図５】
2009537085.tif 000007
【図６】
2009537085.tif 000008
【図７】
2009537085.tif 000009
【図８】
2009537085.tif 000010
【図９】
2009537085.tif 000011
【図１０】
2009537085.tif 000012
【図１１】
2009537085.tif 000013
【図１２】
2009537085.tif 000014
【図１３】
2009537085.tif 000015
【図１４】
2009537085.tif 000016
【図１５】
2009537085.tif 000017
【図１６】
2009537085.tif 000018
【図１７】
2009537085.tif 000019
【図１８】
2009537085.tif 000020
【図１９】
2009537085.tif 000021
【図２０】
2009537085.tif 000022
【国際調査報告】
2009537085.tif 000023
2009537085.tif 000024
2009537085.tif 000025
2009537085.tif 000026
2009537085.tif 000027
2009537085.tif 000028